(57)【特許請求の範囲】
【請求項１】
第１及び第２周波数信号を合成した合成信号を伝送線路に供給する合成器と、前記伝送線路から供給された前記合成信号を第１及び第２周波数信号に分離する分離手段とを、備え、前記合成器は、第１及び第２入力側及び１つの出力側を有し、第１及び出力側に同一形状のコネクタが接続され、第１入力側に第１周波数信号が、第２入力側に第２周波数信号が、それぞれ供給されたとき、出力側に前記合成信号を出力する第１の状態となり、出力側に第１周波数信号が、第２入力側に第２周波数信号が供給されたとき、第１入力側に、減衰された第２周波数信号を含む前記合成信号を出力する第２の状態となる、重畳伝送システムにおいて、
前記分離手段から分離された第２周波数信号のレベルを検出するレベル検出手段と、
このレベル検出手段によって得られたレベル検出信号を、予め定めた閾値と比較して、前記合成器が第１及び第２の状態のいずれであるかを判定する判定手段とを、
具備する合成器の誤接続判別装置。
【請求項２】
請求項１記載の合成器の誤接続判別装置において、前記合成器は、第１入力側と前記出力側との間に接続された第１周波数信号通過用フィルタと、第２入力側と前記出力側との間に接続された第２周波数信号通過用フィルタとを、具備し、第１周波数信号通過用フィルタは、第２の状態における前記レベル検出手段のレベル検出信号が、第１の状態における前記レベル検出手段のレベル検出信号よりも小さくなるように、減衰量が設定されている合成器の誤接続判別装置。
【請求項３】
請求項２記載の合成器の誤接続判別装置において、第１周波数信号通過用フィルタは、第２周波数信号用のトラップフィルタを備えている合成器の誤接続判別装置。
【請求項４】
請求項１記載の合成器の誤接続判別装置において、第２周波数信号は、搬送波信号を所定の情報信号で変調した変調信号であって、前記レベル検出手段には、前記変調信号用の受信機内に組み込まれている受信信号強度指示信号生成手段を使用している合成器の誤接続判別装置。
【発明の詳細な説明】
【０００１】
【発明の属する技術分野】
本発明は、複数の信号を合成器によって合成して、１本の伝送線路で伝送する重畳伝送システムにおいて、合成器への誤接続を判別する装置に関する。
【０００２】
【従来の技術】
例えば或る監視領域を、この監視領域から離れた監視所において監視することがある。この場合、監視領域に監視カメラが設けられる。監視カメラからの映像信号が同軸線路によって監視所まで伝送される。監視所に設けられたモニターテレビによって映像信号が受信される。監視所の作業員が、このモニターテレビの画面を見ることによって、監視領域を監視する。映像だけの監視だけでなく、音声による監視を行うために次のような構成も提案されている。即ち、監視領域にマイクロホンが設置される。マイクロホンからの音声信号で、映像信号とは異なる周波数の搬送波信号が変調され、変調信号が生成される。この変調信号も同軸線路によって監視所まで伝送される。この変調信号を監視所で復調して、音声による監視も監視所において行う。同様に、監視領域に設けたセンサ等からの信号で搬送波信号を変調した変調信号を、監視所に同軸線路を介して伝送することも考えられる。
【０００３】
映像信号は最高周波数が６ＭＨｚであるので、搬送波としては、６ＭＨｚよりも高い周波数、例えば１０ＭＨｚのものが使用される。監視領域には、これら映像信号と変調信号とを合成するために、例えば図４（ａ）に示すような合成器２が設置される。即ち、監視カメラ４からの映像信号を入力端子６を介して入力する。マイクロホン８からの音声信号は、合成器２内に設けられた送信機１０によって１０ＭＨｚの変調信号に変換される。合成器２内には、ローパスフィルタ１２（６ＭＨｚの映像信号を通過可能に遮断周波数が設定されている）と、ハイパスフィルタ１４（１０ＭＨｚの変調信号を通過可能に遮断周波数が設定されている）とが、設けられている。ローパスフィルタ１２は、入力端子６と出力端子１６との間に接続され、ハイパスフィルタ１４は、送信機１０と出力端子１６との間に接続されている。従って、出力端子１６には、映像信号と変調信号とが合成された合成信号が出力される。
【０００４】
【発明が解決しようとする課題】
ところで、映像信号の最高周波数が６ＭＨｚと高いので、監視カメラ４の入力端子６への接続には、同軸線路１８が使用される。また、合成器２の出力端子１６にも監視所までの伝送用に同軸線路２０が接続される。入力端子６と出力端子１６とには、共に同軸線路に接続可能な同一形状のコネクタが使用される。そのため、図４（ｂ）に示すように、誤って、入力端子６に監視所伝送用の同軸線路２０を接続し、出力端子１６に監視カメラ４接続用の同軸線路１８を接続することがある。この場合、図４（ｂ）から明らかなように、変調信号が、ローパスフィルタ１２によって大きく減衰されることになり、監視所において音声が聞こえなくなったり、センサからの信号を受信できなくなったりする。しかも、音声が聞こえなかったり、センサからの信号を受信できないのが、単に音声入力やセンサ入力がないのか、誤接続によるものか判別することが困難である。仮に、音声入力やセンサ入力が存在することが判別できたとしても、その原因が、上記のような誤接続の他に、同軸線路２０の不良や監視所に設けられた変調信号用の受信機の不良等に基づくものか判別できない。従って、監視所では、どのような原因による監視不良であるかを特定することができず、円滑に対応することができない。
【０００５】
本発明は、上記のような合成器による線路の誤接続が生じた場合に、速やかにこれを検出することができる誤接続判別装置を提供することを目的とする。
【０００６】
【課題を解決するための手段】
本発明による誤接続判別装置は、重畳伝送システムに設けられる。重畳伝送システムは、第１及び第２周波数信号を合成した合成信号を伝送線路に供給する合成器と、前記伝送線路から供給された前記合成信号を第１及び第２周波数信号に分離する分離器とを、備えている。合成器は、第１及び第２入力側及び１つの出力側を有している。第１入力側及び出力側に同一形状のコネクタが接続されている。合成器は、第１入力側に第１周波数信号が、第２入力側に第２周波数信号が、それぞれ供給されたとき、第１及び第２周波数信号がいずれも減衰していない合成信号を出力側に出力する第１の状態となる。また、合成器は、出力側に第１周波数信号が、第２入力側に第２周波数信号が供給されたとき、第１入力側に、減衰された第２周波数信号を含む前記合成信号を出力する第２の状態となる。本発明による誤接続判別装置は、分離器から分離された第２周波数信号のレベルを検出するレベル検出手段と、このレベル検出手段によって得られたレベル検出信号を、予め定めた閾値と比較して、合成器が第１及び第２の状態のいずれであるかを判定する判定手段とを、具備している。
【０００７】
合成器が第１の状態にあるとき、レベル検出手段からのレベル検出信号は、閾値よりも大きくなる。合成器が第２の状態にあるとき、レベル検出手段からのレベル検出信号は、閾値よりも小さくなる。即ち、第１及び第２の状態のいずれに合成器があるかによって、レベル検出手段からのレベル検出信号の値は変化し、これを判定手段が判定するので、合成器が誤接続状態（第２の状態）にあるのか否かを速やかに知ることができる。
【０００８】
合成器は、第１入力側と前記出力側との間に接続された第１周波数信号通過用フィルタと、第２入力側と前記出力側との間に接続された第２周波数信号通過用フィルタとを、具備するものとできる。この場合、第１周波数信号通過用フィルタは、第２の状態における前記レベル検出手段のレベル検出信号が、第１の状態における前記レベル検出手段のレベル検出信号よりも小さくなるように、減衰量が設定されている。このように構成すると、誤接続状態において、第２周波数信号を大きく減衰させることができ、確実に誤接続を判別できる。
【０００９】
さらに、第１周波数信号通過用フィルタは、第２周波数信号用のトラップフィルタを備えているものとできる。このように構成した場合、例えば第１周波数信号と第２周波数信号との周波数とが近い場合でも、誤接続状態において、第２周波数信号を大きく減衰させることができ、より確実に誤接続を判別できる。
【００１０】
また、第２周波数信号は、搬送波信号を所定の情報信号で変調した変調信号とすることができる。この場合、レベル検出手段には、変調信号用の受信機内に組み込まれている受信信号強度指示信号生成手段を使用する。このように構成すると、特別にレベル検出手段を設ける必要が無く、回路構成を簡略化することができる。
【００１１】
【発明の実施の形態】
本発明の１実施形態の合成器の誤接続判別装置は、図１に示すような監視装置に実施されている。この監視装置は、第１の信号源、例えば撮像手段、具体的には監視カメラ３０を有している。監視カメラ３０は、所定の監視領域を撮像するもので、第１周波数信号、例えば最高周波数が６ＭＨｚの映像信号を出力する。この映像信号は、合成器３２に同軸線路３４を介して供給される。
【００１２】
合成器３２は、内部に第２周波数信号を発生する第２の信号源、例えば送信機３６を有している。送信機３６は、例えば監視領域内の音声を集音するように監視領域に設けられたマイクロホン３８からの音声信号によって、所定周波数、例えば１０ＭＨｚの搬送波信号を変調した変調信号を、第２周波数信号として発生する。送信機３６における変調方式は、例えば周波数変調、振幅変調のような公知の種々のものを使用することができる。この変調信号と映像信号とを合成器３２が合成し、その合成信号を同軸線路３５によって伝送する。合成器３２は、映像信号を入力するための入力端子４０を有し、合成信号を出力するために、出力端子４２を有している。入力端子４０、出力端子４２には、同軸線路３４、３５に接続されるので、同軸線路用の同一形状のコネクタが使用されている。
【００１３】
入力端子４０と出力端子４２との間には、映像信号のみを通過させるための第１フィルタ、例えばローパスフィルタ４４が接続されている。また、出力端子４２と送信機３６との間には、変調信号のみを通過させるための第２フィルタ、例えばハイパスフィルタ４６が接続されている。上述したように、入力端子４０、出力端子４２には、同一形状のコネクタを使用しているので、通常には、第１の状態、例えば入力端子４０が監視カメラ３０に接続され、出力端子４２が同軸線路３５に接続されるが、誤って第２の状態、例えば入力端子４０に同軸線路３５が接続され、出力端子４２に監視カメラ３０が接続されることがある。図１では、誤った接続状態を示してある。
【００１４】
この誤った接続状態で入力端子４０に大きく減衰された変調信号が生じるように、ローパスフィルタ４４には、高次のフィルタが使用されている。例えば図２に符号ａで示すように、従来例えば３次のローパスフィルタを使用しており、変調信号の周波数１０ＭＨｚにおける減衰量がＡＴＴ１であるとすると、１０ＭＨｚにおける減衰量が、ＡＴＴ１よりも大きいＡＴＴ２になるように、符号ｂで示すように例えば５次のローパスフィルタを使用する。或いは、映像信号の最高周波数が６ＭＨｚで、変調信号の周波数が１０ＭＨｚと比較的近いので、１０ＭＨｚでさらに大きな減衰量ＡＴＴ３を確保するために、符号ｃで示すように、３次のローパスフィルタにトラップフィルタ（トラップ周波数１０ＭＨｚ）を取り付けることもある。
【００１５】
同軸線路３５によって伝送された合成信号は、監視領域から離れた監視センターに設けられた分離手段、例えば分波器４８によって、映像信号と変調信号とに分波される。分波器４８は、入力端子５０と出力端子５２との間に映像信号を通過させるローパスフィルタ５４を有している。また、入力端子５０と、内蔵する受信手段、例えば変調信号用受信機５６との間に、変調信号を通過させるハイパスフィルタ５８が設けられている。
【００１６】
分波器４８を通過した映像信号は、監視センターに設けられたテレビジョン受像機６０に供給され、監視領域の映像が受信機６０に映し出される。
【００１７】
ハイパスフィルタ５８を通過した変調信号は、受信機５６において音声信号に復調され、スピーカ６２に供給され、音声によっても監視領域の監視が行われる。
【００１８】
このように、この監視装置は、１本の同軸線路によって複数の信号を伝送する重畳伝送システムに構成されている。
【００１９】
受信機５６には、受信した変調信号のレベル検出手段、例えばＲＳＳＩ（受信信号強度指示）子音号発生器（図示せず）も設けられている。これによって生成されたレベル検出信号、例えばＲＳＳＩ信号が、判別手段、例えば誤接続判別回路６４に供給されている。
【００２０】
誤接続判別回路６４は、ＲＳＳＩ信号が供給される比較手段、例えば比較器６６、６８を有している。比較器６６には、第１基準信号源７０から第１基準信号Ｖ１が供給されている。比較器６８には、第２基準信号源７２から第２基準信号Ｖ２が供給されている。
【００２１】
第１基準信号Ｖ１としては、例えば合成器３２において入力端子４０と出力端子４２とが正常に接続されている状態において、受信機５６のＲＳＳＩ信号が取る値よりも若干低く、かつ、入力端子４０と出力端子４２とが逆に接続されている状態において、受信機５６のＲＳＳＩ信号が取る値よりも大きい値が設定されている。比較器６６は、ＲＳＳＩ信号が第１基準信号以上の値のときに、例えばＨレベルの信号を発生するように構成されている。
【００２２】
第２基準信号Ｖ２としては、例えば同軸線路３５が断線している場合に、ＲＳＳＩ信号が取る値よりも若干高い値が設定されている。図３に示すように、第１基準信号Ｖ１の方が第２基準信号Ｖ２よりも値が大きい。比較器６８は、ＲＳＳＩ信号が第２基準信号以下のときに、例えばＨレベルの信号を発生するように構成されている。
【００２３】
また、これら比較器６６、６８の出力信号は、論理ゲート、例えば入力否定アンド回路６９に供給されている。
【００２４】
これら比較器６６、６８、入力否定アンド回路６９の出力信号は、表示手段、例えば表示装置７４に供給されている。表示装置７４は、例えば３つのＬＥＤを含んでいる。これらＬＥＤは、比較器６６の出力信号がＨレベルのとき点灯する正常表示用ＬＥＤと、比較器６８の出力信号がＨレベルのとき点灯する断線表示用ＬＥＤと、入力否定アンド回路６９の出力信号がＨレベルのとき点灯する誤接続表示用ＬＥＤとからなる。
【００２５】
図３に符号Ｌ１で示すような受信信号強度であって、ＲＳＳＩ信号が第１基準信号Ｖ１以上であると、即ち、合成器３２において入力端子４０と出力端子４２とが正常に接続されていると、比較器６６のみがＨレベルの出力信号を発生し、比較器６８及び入力否定アンド回路６９はＬレベルの出力信号を発生する。従って、表示装置７４の正常表示用ＬＥＤのみが点灯する。
【００２６】
また、符号Ｌ２で示すような受信信号強度であって、ＲＳＳＩ信号が第１基準信号Ｖ１と第２基準信号Ｖ２との間にあるとき、即ち、合成器３２において入力端子４０と出力端子４２とが逆に接続され、変調信号がローパスフィルタ４４によって大きく減衰されているとき、比較器６６、６８が共にＨレベルの出力信号を発生しない。その代わりに、入力否定アンド回路６９がＨレベルの出力信号を発生し、表示装置７４の誤接続表示用ＬＥＤのみが点灯する。
【００２７】
また、符号Ｌ３で示すような受信信号強度であって、ＲＳＳＩ信号が第２基準信号Ｖ２以下であると、即ち、同軸線路３５において断線が生じていると、比較器６８のみがＨレベルの出力信号を発生し、表示装置７４の断線表示用のＬＥＤのみが点灯する。
【００２８】
このように表示装置７４のいずれのＬＥＤが点灯するかによって、合成器３２における接続が正常に行われているか、誤接続か、同軸線路３５の断線かを、合成器３２から離れた位置にある監視センターにおいて容易に認識することができる。
【００２９】
また、入力否定アンド回路６９または比較器６８がＨレベルの出力信号を発生したとき、その出力信号を受信機５６のスケルチ入力端子に供給することによって、受信機５６をスケルチ動作させるようにすれば、不要なノイズがスピーカ６２から出力されることも防止できる。
【００３０】
上記の実施の形態では、監視カメラの映像信号と、音声信号によって搬送波信号を変調した変調信号とを、同軸線路３５で重畳して伝送する場合について説明した。しかし、これに限ったものではなく、異なった周波数の２つの信号を同軸線路で重畳伝送する場合であれば、他の信号源を使用する場合にも適用可能である。
【００３１】
また、上記の実施の形態では、映像信号をそのまま伝送し、音声信号で搬送波信号を変調したが、逆に映像信号で搬送波信号を変調した変調信号と、マイクロホン３８で集音した音声信号とを合成器３２によって合成してもよい。この場合、ローパスフィルタ４４に代えてハイパスフィルタが使用され、ハイパスフィルタ４６に代えてローパスフィルタが使用される。この場合、ローパスフィルタに代えて使用されるハイパスフィルタには、入出力端子の誤接続が容易に判断できるように高次のハイパスフィルタを使用する。
【００３２】
また、上記の実施の形態では、変調信号は、搬送波信号を音声信号によって変調したものとしたが、これに限ったものではなく、例えば監視領域にセンサを設け、このセンサからの信号で搬送波信号を変調したものを変調信号とすることもできる。
【００３３】
上記の実施の形態では、誤接続判別回路６４は、２つの比較器６６、６８と入力否定アンド回路６９とによって構成したが、この構成に限ったものではなく、例えばＲＳＳＩ信号が第１基準信号よりも小さいときにＨレベルの信号を発生するように比較器６６を構成し、ＲＳＳＩ信号が第２基準信号以下のときにＨレベルの信号を発生するように比較器６８を構成し、比較器６６の出力信号がＬレベルのとき、正常表示用ＬＥＤを点灯するように構成し、比較器６６の出力信号がＨレベルで、比較器６８の出力信号がＬレベルのとき、誤接続表示用ＬＥＤを点灯するように、比較器６６、６８の出力が供給される論理ゲートを構成し、比較器６６の出力信号がＨレベルで、比較器６８の出力信号がＨレベルのとき、断線表示用ＬＥＤを点灯するように、比較器６６、６８の出力が供給される別の論理ゲートを構成することもできる。
【００３４】
上記の実施の形態では、合成器３２内に送信機３６を内蔵させたが、送信機３６を合成器３２とは別個に構成することもできる。
【００３５】
上記の実施の形態では、誤接続判別回路６４は、受信機５６とは別個に設けたが、受信機５６に内蔵させることもできる。或いは、誤接続判別回路６４と表示装置７４とを１つの筐体内に収容して、受信機５６からＲＳＳＩ信号が入力可能に構成して、この監視装置から独立可能として、様々な監視装置に対する誤接続判別を可能とすることもできる。
【００３６】
【発明の効果】
以上のように、本発明によれば、合成器において入力端子と出力端子との誤接続が生じていても、誤接続が生じていることを容易に判断することができる。
【図面の簡単な説明】
【図１】本発明の１実施形態の監視装置のブロック図である。
【図２】図１の監視装置において使用されるローパスフィルタの周波数特性図である。
【図３】図１の監視装置において使用される第１及び第２基準信号とＲＳＳＩ信号との関係を示す図である。
【図４】従来の監視装置において使用される合成器の正常な接続状態と誤接続状態との回路図である。
【符号の説明】
３２  合成器
４８  分波器（分離手段）
５６  受信機（レベル検出手段）
６４  誤接続判別回路（判別手段）
【図１】
0003672536.tif 000002
【図２】
0003672536.tif 000003
【図３】
0003672536.tif 000004
【図４】
0003672536.tif 000005